(57)【要約】      （修正有）【課題】写真を利用してアイテムの販促効果を有効に高めることができるようにしたアイテム販促用具を新たに提供する。【解決手段】写真入りアイテム２１を注文する手段として利用するものであり、複数の写真１３を配列したサムネイル表示欄１と、写真１３を配置することが可能な複数のアイテム２１を表示したアイテム紹介欄２と、サムネイル表示欄１に表示されている写真１３のうち特定のものをアイテム紹介欄２に表示されているアイテム２１のうち特定のものに配置すべき旨の注文をなすための注文欄３とを、媒体Ｐ上に一覧可能に設けることとした。【選択図】図１
2005035020.tif 000002
【特許請求の範囲】
【請求項１】
写真入りアイテムを注文する手段として利用されるものであって、
複数の写真を配列したサムネイル表示欄と、写真を配置することが可能な複数のアイテムを表示したアイテム紹介欄と、サムネイル表示欄に表示されている写真のうち特定のものをアイテム紹介欄に表示されているアイテムのうち特定のものに配置すべき旨の注文をなすための注文欄とを、媒体上に一覧可能に設けてなることを特徴とするアイテム販促用具。
【請求項２】
サムネイル表示欄が、分離させてアルバムに収容可能なように構成してある請求項１記載のアイテム販促用具。
【請求項３】
サムネイル表示欄の外延が、切り取ってアルバムに収容可能なように区画してある請求項２記載のアイテム販促用具。
【請求項４】
アイテム紹介欄に表示されるアイテムが、写真を配置した使用状態で表してある請求項１、２又は３記載のアイテム販促用具。
【請求項５】
注文欄が、アイテム特定箇所および写真特定箇所を順次流れ図的に配置したものである請求項１〜４記載のアイテム販促用具。
【請求項６】
注文欄が、アイテム特定箇所、写真特定箇所およびコメント記入箇所を順次流れ図的に配置したものである請求項１〜４記載のアイテム販促用具。
【請求項７】
注文欄の外延が、切り離した際に注文票をなすように区画してある請求項１〜６記載のアイテム販促用具。
【請求項８】
媒体が紙媒体である請求項１〜７記載のアイテム販促用具。
【請求項９】
注文欄の裏面に、郵便物の宛先欄及び差出人欄を有し、かつ、切り取った後にすくなくとも当該注文欄を内側に折り込み宛先欄を外側に折り出す際の折り罫を表している請求項８記載のアイテム販促用具。
【請求項１０】
情報端末とサーバとの間の送受信を通じて、情報端末の映像面上に写真入りアイテムを注文する注文画面を表示させるためのものであって、
複数の写真を配列したサムネイル表示欄と、写真を配置することが可能な複数のアイテムを表示したアイテム紹介欄と、サムネイル表示欄に表示されている写真のうち特定のものをアイテム紹介欄に表示されているアイテムのうち特定のものに配置すべき旨の注文をなすための注文欄とを映像面上に一覧可能に表示させるためのアイテム販促用データ。
【発明の詳細な説明】
【０００１】
【発明の属する技術分野】
本発明は、写真を利用してアイテムの購買意欲を効果的に刺激することができるようにしたアイテム販促用具及びアイテム販促用データに関するものである。
【０００２】
【従来の技術】
文具やアクセサリー等のアイテムは、日常生活の中で実際に用をなす実用品としての面と、多数の商品群の中からユーザーが自己のフィーリングに合致するものを購入してアイデンティティーを主張するコミュニケーションツールとしての面を持ち合わせる。このため、メーカーサイドは、マーケット調査などを通じて、時流に乗り大衆に受け入れられるアイテムを、中には限定品などのアイテムも盛り込むなどしつつ日々趣向を凝らして開発し、市場に送り出している（例えば、特許文献１参照）。
【０００３】
ところで、近時、民生用デジタルカメラや撮影機能付き携帯電話の普及に伴って、高画質の写真を手軽に撮影することができる時代を迎えている。これらの機器で撮影したデジタル画像は簡単に編集、加工、転送等が行なえることから、家庭で気軽にプリントしたり、メールに添付するなど、写真を入手し利用する機会は従来に比べて激増している。
【０００４】
そして、このように写真を扱う機会が増えるに伴って、自己の撮影した写真をアイテムに貼り付けてオリジナリティを出し、アイデンティティーを主張するツールとして利用しようとする動きも出始めている。
【０００５】
【特許文献１】
特開平６−２８９５８４号公報
【０００６】
【発明が解決しようとする課題】
しかしながら、実際に写真入りアイテムを作成するには、自己の撮った写真の中から所望の写真を探し出し、かつ写真を配置する対象となるアイテムを手持ちの中から選定し或いは新たに購入した上で、写真入りアイテムの作成サービスを行なう印刷会社等にこれらを持ち込んで依頼しなければならない。このようなプロセスは多くのユーザーにとって手間の掛かる煩雑なものである。したがって、写真をアイテムに配置するサービスが提供され、これを簡単に注文できる場が用意されれば、昨今の消費者の要望に好適に叶うこととなる。
【０００７】
そして、このようなサービスは、アイテムの需要増大を図る好機となり得る。写真入りアイテムを新たに作ろうとする動きは、アイテムの新たな購入を促す契機となり得るからである。しかしながら、そのためには、上述したサービスの注文の場が、単にアイテムの押し売りとならないための工夫が必要であって、抵抗なく受け入れられ、無理なく注文に繋がるものでなければならない。
【０００８】
本発明は、このような注文手段としての用途に適したアイテム販促用具及びアイテム販促用データを新たに提供しようとするものである。
【０００９】
【課題を解決するための手段】
本発明は、かかる目的を達成するために、次のような手段を講じたものである。
【００１０】
すなわち、本発明のアイテム販促用具は、写真入りアイテムを注文する手段として利用されるものであって、複数の写真を配列したサムネイル表示欄と、写真を配置することが可能な複数のアイテムを表示したアイテム紹介欄と、サムネイル表示欄に表示されている写真のうち特定のものをアイテム紹介欄に表示されているアイテムのうち特定のものに配置すべき旨の注文をなすための注文欄とを、媒体上に一覧可能に設けてなることを特徴とする。
【００１１】
このようなものであれば、閲覧者は先ず関心のある欄に目を向ける。そして、そこにはサムネイル表示欄が先ずもって画像の鑑賞対象として存在し得るので、これのみによっても十分に利用者の便に供することができる。このサムネイル表示欄には、アイテム紹介欄及び注文欄が一覧可能に並列表示されるが、これらは付随的、任意的な構成要素に過ぎないため、押し売り的なイメージを抱かせるおそれも少ない。閲覧者はサムネイル表示欄を閲覧するだけで閲覧を終えることもできるからである。
【００１２】
しかしながら、サムネイル表示欄とアイテム表示欄が隣接して表示してあると、画像とアイテムを組み合わせる試行を閲覧者の頭の中に惹起させることもできるため、このとき閲覧者のイマジネーションを刺激し、アイテム購入への動機付けをなす効果を期待できる。そして、その隣には注文欄が併記してあり、購買意欲が高まった段階で即座に注文欄を使用してアイテムの注文を行なえるようにしているので、注文動作を無理なく促すことができ、ひいてはアイテムの販促効果に有効に繋げることが可能となる。
【００１３】
このアイテム販促用具が、閲覧者にとってより利用価値の高いものであるためには、サムネイル表示欄が、分離させてアルバムに収容可能なように構成してあることが望ましい。
【００１４】
具体的には、サムネイル表示欄の外延が切り取ってアルバムに収容可能なように線によって或いはミシン目によって区画してあるものや、アイテム販促用具が２層シート構造をなす場合には表シートを剥離させることによってサムネイル表示欄を分離させ得るようにしているものが挙げられる。
【００１５】
閲覧者により強い印象を与えるためには、アイテム紹介欄に表示されるアイテムが、写真を配置した使用状態で表してあることが好ましい。
【００１６】
注文の煩わしさを実感させないようにするためには、注文欄が、組み合わせに係るアイテムを特定するためのアイテム特定箇所および組み合わせに係る写真を特定するための写真特定箇所を順次流れ図的に配置したものであることが望ましい。オリジナリティを高め、ユーザーの意向をより反映したものにするためには、注文欄が、アイテム特定箇所、写真特定箇所およびコメント記入箇所を順次流れ図的に配置したものであることが特に好適である。
【００１７】
注文への一連の流れに好適に繋げるためには、注文欄の外延が、切り離した際に注文票をなすように区画してあることが有効となる。
【００１８】
媒体は紙媒体でもよく、電磁的に制御される映像面であってもよい。特に前者の場合には、注文欄の裏面に、郵便物の宛先欄及び差出人欄を有し、かつ、切り取った後にすくなくとも当該注文欄を内側に折り込み宛先欄を外側に折り出す際の折り罫を表しておくことが、即座に郵便ラインに乗せることができる点において好都合である。
【００１９】
後者の場合には、情報端末とサーバとの間の送受信を通じて、情報端末の映像面上に写真入りアイテムを注文する注文画面を表示させるためのデータを構成することが有効であり、複数の写真を配列したサムネイル表示欄と、写真を配置することが可能な複数のアイテムを表示したアイテム紹介欄と、サムネイル表示欄に表示されている写真のうち特定のものをアイテム紹介欄に表示されているアイテムのうち特定のものに配置すべき旨の注文をなすための注文欄とを映像面上に一覧可能に表示させるデータとすればよい。
【００２０】
【発明の実施の形態】
以下、本発明の一実施形態について、図面を参照して説明する。
【００２１】
このアイテム販促用具Ｘは、アイテムに写真を貼り付けるサービスの利用の機会をユーザーに提供するシステムの一環を担うものである。図６にそのシステムを例示する。この図６においては、ユーザーが、予め登録した画像蓄積サーバＳ１に撮影機能を備えた携帯型情報端末ＨＰから電気通信回路ＩＮを介して画像データを転送し蓄積するサービスを受けられる状況にある。画像蓄積サーバＳ１は、送信されてくる画像データを送信者特定情報と関連づけて蓄積する。これに対して、画像蓄積サーバＳ１から画像データを定期的に取得することができる画像利用サーバＳ２を用意し、この画像利用サーバＳ２に、画像が利用可能なアイテムに関するアイテムデータと、アイテムに画像を配置するサービスに関する注文フォームデータとを予め蓄積しておく。そして、画像利用サーバＳ２が、取得した画像データ、利用可能なアイテムデータ及び注文フォームを印刷装置ＰＲに送信し、この印刷装置ＰＲから紙媒体にプリントしたものを、ユーザーに提供して、写真入りアイテムを注文する際の利用に供することができるようにしたものである。
【００２２】
図１は、注文書Ｘ１として機能する本発明のアイテム販促用具Ｘを示したものであり、例えば上記印刷装置ＰＲによってプリントされるものである。
【００２３】
このアイテム販促用具Ｘは、複数の写真１３を配列したサムネイル表示欄１と、写真１３を配置することが可能な複数のアイテム２１を表示したアイテム紹介欄２と、サムネイル表示欄１に表示されている写真１３のうち特定のものをアイテム紹介欄２に表示されているアイテム２１のうち特定のものに配置すべき旨の注文をなすための注文欄３とを、紙媒体Ｐ上に一覧可能に配置して構成される。
【００２４】
紙媒体Ｐは、例えばＡ３サイズのもので、表側の面Ｐ１には、中央に縦罫線Ｐ１１が印字され、縦罫線Ｐ１１によって区画された片半部の略中央に横罫線Ｐ１２が印字されて、縦罫線Ｐ１１の一部と横罫線Ｐ１２によって部分的に区画された第１領域Ｐ１３、縦罫線Ｐ１１の他の一部と横罫線Ｐ１２によって部分的に区画された第２領域Ｐ１４、及び、縦罫線Ｐ１１によって前記第１領域Ｐ１３、第２領域Ｐ１４と反対側に区画された第３領域Ｐ１５を具備する。そして、これら第１領域Ｐ１３、第２領域Ｐ１４、第３領域Ｐ１５に、それぞれサムネイル表示欄１、アイテム紹介欄２、注文欄３を振り分けて配置している。この実施形態は、第１領域Ｐ１３にサムネイル表示欄１を配置し、第２領域Ｐ１４にアイテム紹介欄２を配置し、第３領域Ｐ１５に注文欄３を配置した例を示すものである。
【００２５】
サムネイル表示欄１は、図２に示すような専用アルバム１１のサイズ（例えばＡ６）に対応した外形線１２に包囲されたもので、ユーザーが撮影した写真１３を、「今月のあなたのフォト」と称して、サムネイル表示している。サムネイル表示欄２は中央が縦罫線１４によって仕切られ、その一側に５×４枚の画像１３、他側に５×６枚の画像１３がそれぞれ配置され、写真１３ごとに写真番号１５が付されている。このサムネイル表示欄１の適宜箇所には、いつの時点のサムネイルであるかを明示する日時特定情報を付しておいてもよい。勿論、専用アルバムだけでなく、汎用ファイル類のサイズに対応させることも、ユーザーの利便性を向上させる意味において有効である。
【００２６】
アイテム紹介欄２は、「今月のおすすめアイテム」と称して、刷り込み或いは貼り付け等によって写真１３を配置することが予定されている複数のアイテム２１（図１及び図３参照）を、実際にこれを配置した使用状態のアイテム写真２２ａによって例示してある。このアイテム紹介欄２はアイテム名表示部２２を備えている。図３の例示において、同図（ａ）は写真入りアイテム２１たるオリジナル写真集２１ａであり、同図（ｂ）は写真入りアイテム２１たる付箋紙２１ｂであり、同図（ｃ）は写真入りアイテム２１たる名刺２１ｃである。
【００２７】
注文欄３は、サムネイル表示欄１に表示されている写真１３のうち特定のものをアイテム紹介欄２に表示されているアイテム２１のうち特定のものに配置すべき旨の注文をなすためのものである。この注文欄３は、アイテム特定箇所３１、属性特定箇所３２、写真特定箇所３３およびコメント記入箇所３４を、矢印表記Ｙと共に順次流れ図的に配置することにより表わしてある。
【００２８】
アイテム特定箇所３１には、アイテム表示欄２に紹介されているアイテム２１のアイテム名２２ｂが予め表示してあり、注文部数を特定する記入部分３１ａを備える。アイテム名２２ｂは利用者が記入するようにしても構わないが、極力煩わしさを省くためにこのようにしてある。
【００２９】
属性特定箇所３２は、アイテム２１の色を選択する選択部３２ａや、アイテム２１にタイトルを付与するためのタイトル記入部３２ｂなどを備える。
【００３０】
写真特定箇所３３は、前記サムネイル表示欄１に付してある写真番号１５を記入するための写真番号記入欄３３ａを有する。この写真番号記入欄３３ａは複数設定可能であるが、指定する写真は１つであっても構わない。
【００３１】
コメント記入箇所３４は、特定した写真特定箇所３３と組をなすもので、写真１３中に付するべきコメントを記入すべき記入部３４ａを設けている。
【００３２】
一方、図４に示すように、このアイテム販促用具Ｘの裏側の面Ｐ２には、中央に縦罫線Ｐ２１が印字され、この縦罫線Ｐ２１によって当該裏側の面Ｐ２を一方の第４領域Ｐ２２と他方の第５領域Ｐ２３とに区画している。
【００３３】
第４領域Ｐ２２は、前記表側の面Ｐ１の第３領域Ｐ１５（注文欄３が設けられている部分）の裏面に位置するもので、この第４領域Ｐ２２に、郵便物の宛先欄４及び差出人欄５を設けている。そして、前記縦罫線Ｐ２１に沿って切り取った後に、図５に示すように前記注文欄３及び差出人欄５を内側に折り込み宛先欄５を外側に折り出すことのできるように、当該第４領域Ｐ２２に折り罫６や糊代７を表している。
【００３４】
また、第５領域Ｐ２３は、前記表側の面Ｐ１の第１領域Ｐ１３（サムネイル表示欄１が設けられている部分）及び第２領域Ｐ１４（アイテム紹介欄２が設けられている部分）の裏面に位置するもので、この第５領域Ｐ２３に、記入方法説明欄８、注意事項記載欄９及び注文覚え欄１０を設けている。記入方法説明欄８には、「注文フォームの書き方」と称して表側の面Ｐ１や裏側の面Ｐ２への記入方法８１が現してあり、注意事項記載欄９には「ご注文上の注意」と称して注文に際してトラブルを回避するための注意事項９１等が表わしてある。また、注文覚え欄１０には、「ご注文の記録（お客様控え）」と称して注文書発送日を記入する発送日記入部１０１等が設けてある。
【００３５】
以上のように本実施形態に係るアイテム販促用具Ｘは、写真入りアイテム２１を注文する手段として利用されるものであって、複数の写真１３を配列したサムネイル表示欄１と、写真を配置することが可能な複数のアイテム２１を表示したアイテム紹介欄２と、サムネイル表示欄１に表示されている写真１３のうち特定のものをアイテム紹介欄２に表示されているアイテム２１のうち特定のものに配置すべき旨の注文をなすための注文欄３とを、紙Ｐに一覧可能に設けたものである。
【００３６】
このようなものが送られてきた場合、閲覧者は自己の撮影した写真をその時の状況等を回顧しながら閲覧するであろうから、これのみによっても十分に利用者の便に供することができ、決して迷惑なものにはならない。このアイテム販促用具Ｘを閲覧する者にとって、サムネイル表示欄１に付帯するアイテム紹介欄２や注文欄３は必ずしも利用義務のないものであり、不必要であればこれを無視しても一向に構わず、写真のみを鑑賞して廃棄することも任意だからである。
【００３７】
しかしながら、サムネイル表示欄１とアイテム表示欄２が隣接して表示してあると、写真１３とアイテム２１を組み合わせた種々の写真入りアイテムをイメージする試行もなされるであろうし、商品への購入意欲も高まるであろうから、無意識のうちに閲覧者を購入動作へと誘う手段として好都合となる。そして、その隣には注文欄３が併記してあり、購買意欲が高まった段階で即座に注文欄３を使用してアイテム２１の注文を行なえるようにしてあるので、動機付けから購入までの連鎖を有効に引き出すことができ、ひいてはアイテムの販促効果に有効に繋げることが可能となる。
【００３８】
特に、アイテム販促用具Ｘは、サムネイル表示欄１の外形線１２或いはその周辺を切り取ってアルバム１１に収容可能なように区画してあるため、閲覧者はこのアルバム１１に自己の撮った写真を順次蓄積していくことができ、これのみでも閲覧者に有益なサービスの提供となり得る。
【００３９】
また、この実施形態のように、アイテム紹介欄２に表示されるアイテム２１が写真１３を配置した使用状態で表してあると、閲覧者にわかり易く、印象付けが効果的となることを期待することができる。
【００４０】
さらに、注文欄３が、組み合わせに係るアイテム２１を特定するためのアイテム特定箇所３１、組み合わせに係る写真１３を特定するための写真特定箇所３３、写真に付するコメントを記入するコメント記入箇所３４を順次流れ図的に配置してあるため、注文の煩わしさを実感させないように誘導することができるとともに、オリジナルメッセージを記入させることによって自己表現の場を作り、自然にアイテムを通じたコミュニケーションが慣習化されるように仕向けることも容易となる。しかも、注文欄３の外延を切り離した際には、そのまま注文書１をなすようにしてあるので、別途に注文書に記入する手間もなく、注文までの流れを分断させることも回避することができる。
【００４１】
特に、この実施形態のように媒体が紙媒体Ｐであって、注文欄３の裏側の面Ｐ２に、郵便物の宛先欄４及び差出人欄５を有し、かつ、切り取った後にすくなくとも当該注文欄３を内側に折り込み宛先欄４を外側に折り出す際の折り罫６を表しておくと、そのまま投函することによって即座に郵便ラインに乗せることができ、利用者の手を煩わせることも極力回避することが可能となる。
【００４２】
なお、各部の具体的な構成は、上述した実施形態のみに限定されるものではない。
【００４３】
例えば、上記実施形態では、サムネイル表示欄１の外延を切り取ってアルバムに収容可能なように線によって区画したが、サムネイル表示欄１を分離させてアルバムに収容可能であれば、図７に示すようにサムネイル表示欄１の周囲にミシン目Ｍを設けることによって区画するようにしたものであってもよい。また、アイテム販促用具が２層シート構造をなす場合には、図８に示すように、表シートＳｈ１をシールのように裏シートＳｈ２から剥離させることによって、当該表シートＳｈ１に構成したサムネイル表示欄１を分離させ得るように構成しておくことも有効である。
【００４４】
また、アイテム販促用具と等価なものとして、図６に示した情報端末たるＰＣと前記画像利用サーバＳ２との間の送受信を通じて、ＰＣに付帯するディスプレイやモニター画面等の映像面Ｐ１００上に写真入りアイテムを注文するための注文画面（図９参照）を表示させるようにしたものであってもよい。
【００４５】
ＰＣから画像利用サーバＳ２には、閲覧者が電気通信回線に接続し、予め与えられたＩＤナンバーとパスワードを入力することによってアクセスを許可されるのが通例である。この場合、ユーザーの画像データ等はＩＤナンバーとパスワードによって管理される。
【００４６】
この映像面Ｐ１００に表示される注文画面は、上述した紙Ｐの注文書Ｘ１と同様の構成からなり、アイテム２１０を写真１３０とともに指定して写真入りアイテムを注文できるものであって、注文画面には、複数の写真を配列したサムネイル表示欄１００と、前記アイテムを表示したアイテム紹介欄２００と、注文をするための注文欄３００とが一覧可能に設けてある。具体例は前記実施形態に略対応させてある。
【００４７】
すなわち、サムネイル表示欄１００は、ユーザーが撮影した写真１３０を、「今月のあなたのフォト」と称して、サムネイル表示している。サムネイル表示欄１００には５×１０枚の写真１３０が配置されていて、写真１３０ごとに写真番号１５０が付してある。
【００４８】
アイテム紹介欄２００は、「今月のおすすめアイテム」と称して、複数のアイテム２１０を、実際にこれを配置した使用状態のアイテム写真２２０ａによって例示してある。符号２２０で示すものは、写真入りアイテム２１０のアイテム写真２２０ａと関連づけてアイテム名２２０ｂを表示するアイテム名表示部２２０である。
【００４９】
注文欄３００は、サムネイル表示欄１００に表示されている写真１３０のうち特定のものをアイテム紹介欄２００に表示されているアイテム２１０のうち特定のものに配置すべき旨の注文をなすためのものである。この注文欄３００は、アイテム特定箇所３１０と属性特定箇所３２０とを順次流れ図的に配置して表わしてある。
【００５０】
アイテム特定箇所３１０には、アイテム表示欄２００に紹介されているアイテム２１０のアイテム名２２０ｂが予め表示して特定してあり、注文部数を特定する記入部分３１０ａを設けている。ここでも、利用者がアイテム名２２０ｂを記入するようにしても構わない。
【００５１】
属性特定箇所３２０には、アイテム２１０の色を選択する選択部３２０ａや、アイテム２１０にタイトルを付与するためのタイトル記入部３２０ｂなどが設けてある。
【００５２】
写真の選択は、サムネイル表示欄に配列された写真をマウス等にてクリックにて選択することができる。
【００５３】
そして、前記注文欄３００に必要事項を記入した上で、この入力情報を電気通信回路を介して転送することによって、前記アイテム２１０の注文を完了することができるようにしてある。
【００５４】
また、図８に示すように、前記映像面Ｐ１００からサムネイル表示欄１００だけを分離させて、ＰＣ内に設けたアルバムとして機能するフォトアルバムファイル（図１０参照）にサムネイル画像データ４００として取り込むことができるようになっている。この操作は、一般的なドラッグドロップ操作やカットペースト操作によって可能であり、写真データと格納先ファイルとの関連づけデータが変更されるだけである。
【００５５】
図１１は、以上を実現するための具体的な機能手段である。映像面Ｐ１００に対し、画像制御手段Ｘ１００が表示に必要なデータＤを構成して送り込む制御を行なう。このデータＤは、前記画像利用サーバＳ２から送信され、当該ＰＣにおいてこれを受信して記憶手段Ｙ１００に格納しているもので、具体的には前記アイテム２１０に対応したアイテムデータＤ２１０、前記写真Ｄ１３０に対応した写真データＤ１３０、前記サムネイル表示欄１００に対応したサムネイル表示欄構成データＤ１００、前記アイテム紹介欄２００に対応したアイテム紹介欄構成データＤ２００、注文欄３００に対応した注文欄構成データ３００などからなる。このうち、画面レイアウト構成に必要なサムネイル表示欄構成データＤ１００、アイテム紹介欄構成データＤ２００、注文欄構成データ３００などは、いわゆるスタイルシートを構成するデータと同様に扱われるものであり、この点は既知であるため説明を省略する。
【００５６】
このような構成によっても、上記実施形態と略同様の作用効果を得ることができ、アイテムに対して無理のない有効な販促効果を期待することができる。
【００５７】
その他、上記実施形態では、サーバから写真データを取得して写真入りアイテムを注文するシステムに利用するものとして説明したが、一般に現像を業として行なうラボ等でこのような写真入りアイテムの受注が行なわれるならば、本発明のアイテム販促用具を写真データとともにかかるラボ等から受け取り、当該ラボ等に対して注文する業態も成立し得るものであり、本発明のアイテム販促用具はこのような場合にも有効に機能し得るものである。
【００５８】
その他の各部の構成も、本発明の趣旨を逸脱しない範囲で種々変形が可能である。
【００５９】
【発明の効果】
本発明は、以上説明したように、サムネイル表示欄に付帯させてアイテム表示欄及び注文欄を設けた構成によって、閲覧者に抵抗なくこのアイテム販促用具を閲覧させることを可能にし、写真入りアイテムへの注文までの動作を有効に引き出すことができるようにした新規有用なアイテム販促用具として提供することが可能となる。
【図面の簡単な説明】
【図１】本発明の一実施形態に係るアイテム販促用具の表側の面を示す図。
【図２】同実施形態とともに使用する専用アルバムの斜視図。
【図３】同実施形態において例示されるアイテムを示す図。
【図４】同実施形態に係るアイテム販促用具の裏側の面を示す図。
【図５】同実施形態の注文欄を封筒に仕立てる様子を示す図。
【図６】本実施形態に係るアイテム販促用具が利用されるシステムのシステム図。
【図７】同実施形態の変形例を示す図。
【図８】同実施形態の他の変形例を示す図。
【図９】本発明の他の実施形態を示す図１に対応した図。
【図１０】同実施形態を示す図２に対応した図。
【図１１】同実施形態の機能構成図。
【符号の説明】
１・・・サムネイル表示欄
２・・・アイテム紹介欄
３・・・注文欄
４・・・宛先欄
５・・・差出人欄
６・・・折り罫
１１・・・専用アルバム
１３・・・写真
２１・・・アイテム
３１・・・アイテム特定箇所
３３・・・写真特定箇所
３４・・・コメント記入箇所
Ｐ・・・紙媒体（紙）
Ｐ２・・・注文票の裏面（裏側の面）
Ｘ・・・アイテム販促用具
Ｘ１・・・注文票
【図１】
2005035020.tif 000003
【図２】
2005035020.tif 000004
【図３】
2005035020.tif 000005
【図４】
2005035020.tif 000006
【図５】
2005035020.tif 000007
【図６】
2005035020.tif 000008
【図７】
2005035020.tif 000009
【図８】
2005035020.tif 000010
【図９】
2005035020.tif 000011
【図１０】
2005035020.tif 000012
【図１１】
2005035020.tif 000013